(57)【特許請求の範囲】
【請求項１】
打栓嵌合式の蓋体を有する包装容器であって、容器本体の上部開口外周には、該容器本体の上縁部の周りを略一定の間隔をおいて取り巻く嵌合支持壁と、該嵌合支持壁を該容器本体に連結する連結部と、前記嵌合支持壁の上縁側内周に突設され上端がテーパ状のガイド面を構成するとともに下端が該容器本体の軸線に対して直角な係止面を構成する複数個の断面略三角の嵌合突起とからなる嵌合部を設け、蓋体には、前記容器本体の上縁部上端が内周側および外周側とも密封状態で嵌まり込む嵌合溝部と、該嵌合溝部の外側に延設され前記容器本体の嵌合突起と係合する外向きで断面フック状の係合鍔部とからなる嵌合部を設け、前記蓋体を前記容器本体に被せて上方から打栓力を加えることにより、前記容器本体の上縁部上端が前記蓋体の嵌合溝部に嵌まり込むとともに、前記蓋体の係合鍔部が前記容器本体の嵌合突起上端のガイド面に案内され、弾性変形して前記嵌合突起の下に嵌まり込み、該係合鍔部の先端が前記嵌合突起下端の係止面に当接し、ロック状態となるようにし、且つ、前記容器本体の嵌合部に、前記嵌合支持壁が前記連結部より上の部分で切り欠かれた形の開蓋用半欠部を形成し、該開蓋用半欠部を利用して前記蓋体の前記係合鍔部を弾性変形させる力を加えることにより、前記係合鍔部の先端が前記嵌合突起下端の係止面に当接したロック状態を解いて蓋体をこじ開けることができるものとしたことを特徴とする包装容器。
【発明の詳細な説明】
【０００１】
【発明の属する技術分野】
この発明は水性インキ等の液体を内容物とする包装容器であって、特に打栓嵌合式の蓋体を有する包装容器に関するものである。
【０００２】
【従来の技術】
従来から、例えば実公平７−４４６０５号公報に示されているように、紙を主体とする基材層の少なくとも片側最表面に熱接着性樹脂層を有するブランク板を用い、該ブランク板を熱接着性樹脂層を内側にして中空状に巻き両側縁を対向せしめて周壁部とするとともに、ブランク板の下端開口および両側縁間を埋めるとともに上部開口周縁を覆いブランク板と一体的付着状態となるよう合成樹脂により骨格部材を成形し、該骨格部材により底部，柱状部および上縁部を構成するようにした包装容器が知られている。この種の包装容器はピラード容器と呼ばれ、例えば洗剤等の容器として用いられている。
【０００３】
【発明が解決しようとする課題】
ピラード容器は、金属容器や合成樹脂の一体成形容器に比べて軽量であり、安価でもあり、また、廃棄処理が容易である等の利点があるが、剛性の面で金属容器や合成樹脂の一体成形品に較べて劣ることから、蓋体嵌合部の密封性の確保が容易でない。したがって、このような包装容器においては、蓋体嵌合部の密封性の確保が課題であった。
【０００４】
本発明は、水性インキ等の液体を内容物とする包装容器の蓋体嵌合部の密封性の確保を目的とする。
【０００５】
【課題を解決するための手段】
本発明は、打栓嵌合式の蓋体を有する包装容器であって、容器本体の上部開口外周には、容器本体の上縁部の周りを略一定の間隔をおいて取り巻く嵌合支持壁と、この嵌合支持壁を容器本体に連結する連結部と、嵌合支持壁の上縁側内周に突設され上端がテーパ状のガイド面を構成するとともに下端が容器本体の軸線に対して直角な係止面を構成する複数個の断面略三角の嵌合突起とからなる嵌合部を設け、蓋体には、容器本体の上縁部上端が内周側および外周側とも密封状態で嵌まり込む嵌合溝部と、この嵌合溝部の外側に延設され容器本体の嵌合突起と係合する外向きで断面フック状の係合鍔部とからなる嵌合部を設け、蓋体を容器本体に被せて上方から打栓力を加えることにより、容器本体の上縁部上端が蓋体の嵌合溝部に嵌まり込むとともに、蓋体の係合鍔部が容器本体の嵌合突起上端のガイド面に案内され、弾性変形して嵌合突起の下に嵌まり込み、この係合鍔部の先端が嵌合突起下端の係止面に当接し、ロック状態となるようにし、且つ、容器本体の嵌合部に、嵌合支持壁が連結部より上の部分で切り欠かれた形の開蓋用半欠部を形成し、この開蓋用半欠部を利用して蓋体の係合鍔部を弾性変形させる力を加えることにより、係合鍔部の先端が嵌合突起下端の係止面に当接したロック状態を解いて蓋体をこじ開けることができるものとしたことを特徴とする。
【０００６】
本発明の上記包装容器は、蓋体を容器本体に被せ、上方から打栓力を加えると、容器本体の上縁部先端が蓋体の嵌合溝部に嵌まり込むとともに、蓋体の係合鍔部が嵌合突起上端のガイド面に案内され、弾性変形して嵌合突起の下に嵌まり込み、係合鍔部の先端が嵌合突起下端の係止面に当接して、ロック状態となるものであり、これにより、内容物が水性インキ等の液体である場合の密封性が確保される。
【０００７】
また、上記包装容器は、容器本体の嵌合部に、嵌合支持壁が連結部より上の部分で切り欠かれた形の開蓋用半欠部を形成し、該開蓋用半欠部を利用して蓋体をこじ開けることができるものであり、打栓嵌合された蓋体を開ける際に、開蓋用半欠部にマイナスドライバー状のものを挿し込んで、こじ開けることができる。
【０００８】
【発明の実施の形態】
図１〜図４は、内容物が水性インキである場合の本発明による包装容器の例を示す。図１は同包装容器の半分を断面で示す正面図、図２は同包装容器の半分を断面で示す平面図、図３は同包装容器の側壁部を構成するブランク板の平面図、図４は図１のＣ部拡大詳細図である。
【０００９】
この例に示す包装容器２１は、水平断面が略矩形で上端側へ向けてテーパ状に拡がった容器本体２２と、容器本体２２の上部開口に打栓嵌合される蓋体２３ととで構成される。
【００１０】
容器本体２２は、図３のブランク板２５によって構成される側壁部２２ａと、ポリプロピレン等の合成樹脂の成形品である骨格部材２６によって構成される底部２２ｂ，柱状部２２ｃおよび上縁部２２ｄとからなるピラード容器である。そして、骨格部材２６により構成される上縁部２２ｄの上部開口外周部分には、蓋体２３と打栓嵌合する嵌合部２７が形成されている。また、柱状部２２ｃは２個で、容器本体２２の両短壁部中央の相互に対向する位置において底部２２ｂ外縁と上縁部２２ｄ外縁とを連結している。
【００１１】
ブランク板２５は、例えば、紙と、コロナ処理を施した厚さ７μ程度のアルミニウム（Ａｌ）とを、その紙とアルミニウム（Ａｌ）のコロナ処理面との間に溶融状態のポリエチレン（ＰＥ）を押出し積層し、さらに、アルミニウム（Ａｌ）のコロナ処理面と反対側の面に厚さ１５〜２５μの延伸ナイロン（ＯＮ）をドライラミネート（ＤＬ）で積層した後、その上に、熱接着性樹脂層として厚さ２５μ程度の未延伸ポリプロピレン（ＣＰＰ）をやはりドライラミネート（ＤＬ）で積層したもの（積層構成：紙／押出ＰＥ／コロナ／Ａｌ／ＤＬ／ＯＮ／ＤＬ／ＣＰＰ）であり、あるいは、紙と、アンカーコート（ＡＣ）処理を施した厚さ１５〜２５μの延伸ナイロン（ＯＮ）とを、その紙と延伸ナイロン（ＯＮ）のアンカーコート（ＡＣ）処理面との間に溶融状態のポリエチレン（ＰＥ）を押出し積層し、さらに、その延伸ナイロン（ＯＮ）のアンカーコート（ＡＣ）処理面と反対側の面に厚さ２５μ程度の未延伸ポリプロピレン（ＣＰＰ）をドライラミネート（ＤＬ）で積層したもの（積層構成：紙／押出ＰＥ／ＡＣ／ＯＮ／ＤＬ／ＣＰＰ）であって、それを図３の形に断裁して使用する。また、未延伸ポリプロピレンは骨格部材２６がポリプロピレンの場合に適したものであり、骨格部材２６が別の合成樹脂である場合は、熱接着性樹脂にも同系のものを用いる。
【００１２】
延伸ナイロンの引張強度は、温度２３゜Ｃ，湿度６５％の条件下で、２２〜２８ｋｇｆ／ｍｍ2であり、ブランク板２５の補強用として十分である。なお、延伸ナイロンに代えて、引張強度が大きいポリエチレンテレフタレート，ポリエチレンナフタレート等の他の二軸延伸フィルムを用いることもできる。ポリエチレンナフタレートの引張強度は、上記条件下で、３３〜３５ｋｇｆ／ｍｍ2である。ポリエチレンテレフタレートの引張強度は、上記条件下で、２１〜２３ｋｇｆ／ｍｍ2である。
【００１３】
容器本体２２の成形に際しては、まず、ブランク２５を熱接着性樹脂層を内側にして両側縁が対向するよう射出成型機の雄型に巻き付け、例えば吸引によりその状態に保持したまま雄型を雌型内に挿入し、雄型と雌型を合わせる。そして、このように雄型と雌型を合わせた状態で、雄型と雌型の間のキャビティーに雄型，雌型の各樹脂導入部を介してポリプロピレン等の熱可塑性合成樹脂を導入し、底部２２ｂ，柱状部２２ｃおよび上縁部２２ｄを構成する骨格部材２６を一体成形し、同時に、骨格部材２６とブランク２５とを接合させて一体的付着状態とする。
【００１４】
また、骨格部材２６を構成する熱可塑性合成樹脂としては、ポリプロピレン以外にも、通常射出成型に用いられる熱可塑性合成樹脂であればよく、他のオレフィン系樹脂，スチレン系樹脂，塩化ビニル系樹脂等どのようなものを用いてもよいものである。
【００１５】
このようにして成形した容器本体２２は、熱可塑性合成樹脂からなる骨格部材２６と同系の熱接着性樹脂層を最表面に有するブランク板２５とが容易に接合し、一体的付着状態となる。そして、ブランク板２５は基材層と熱接着性樹脂層との間に二軸延伸フィルム層が介在することによって引張強度が増す。そのため、落下時等で衝撃が加わってもブランク板２５と骨格部材２６との接合部におけるブランク板２５の破断を防止できる。
【００１６】
また、容器本体２２上部開口外周の上記嵌合部２７は、骨格部材２６に一体成形されたもので、容器本体２２の上縁部２２ｄの周りを略一定の間隔をおいて取り巻く垂直な嵌合支持壁２７ａを有し、その嵌合支持壁２７ａを高さ方向の略中央において容器本体２２の上縁部２２ｄに水平連結部２７ｂにより連結した構成となっている。そして、上記嵌合支持壁２７ａの上縁側内周には、上端がテーパ状のガイド面を構成するとともに下端が容器本体２２の軸線に対して直角な係止面を構成する断面略三角の嵌合突起２７ｃが、所定配置で複数個突設されている。また、上記水平連結部２７ｂは、平面図（図２）で見て上記嵌合突起２７ｃと重なる部分が、該嵌合突起２７ｃより若干大きな抜き穴２７ｄとなっている。そして、上記嵌合部２７には、図２に示すように、嵌合支持壁２７ａが水平連結部２７ｂより上の部分で切り欠かれた形の開蓋用半欠部２７ｅが形成されている。
【００１７】
蓋体２３は、ポリプロピレン等の合成樹脂の成形品であって、周縁部分に打栓嵌合のための嵌合部２８が形成されている。また、蓋体２３の天面部分は、包装容器２１をスタック可能とするよう、窪んだ形状とされている。
【００１８】
蓋体２３周縁の嵌合部２８は、容器本体２２の上縁部２２ｄ上端が嵌まり込むよう嵌合溝部２８ａが形成され、その嵌合溝部２８ａの外側に、容器本体２２側の嵌合部２７の嵌合突起２７ｃと係合する断面フック状の係合鍔部２８ｂが延設されたものである。この蓋体２３を容器本体２２に被せ、上方から打栓力を加えると、容器本体２２の上縁部２２ｄ先端が蓋体２３の嵌合溝部２８ａに嵌まり込むとともに、蓋体２３の係合鍔部２８ｂが上記嵌合突起２７ｃ上端のガイド面に案内され、弾性変形して嵌合突起２７ｃの下に嵌まり込む。そして、係合鍔部２８ｂの先端が嵌合突起２７ｃ下端の係止面に当接し、ロック状態となる。このようにして打栓嵌合された蓋体２３は、上記開蓋用半欠部２７ｅにマイナスドライバー状のものを挿し込んで、こじ開けることができるものである。
【００１９】
【発明の効果】
本発明によれば、打栓嵌合式の蓋体を有する包装容器において、水性インキ等の液体を内容物とする場合の密封性を容易に確保できる。
【図面の簡単な説明】
【図１】本発明の実施の形態の他の例を示す包装容器の半分を断面で示す正面図である。
【図２】図１に示す包装容器の半分を断面で示す平面図である。
【図３】図１に示す包装容器の側壁部に用いるブランク板の平面図である。
【図４】図１のＣ部拡大詳細図である。
【符号の説明】
２１  包装容器
２２  容器本体
２２ａ  周壁部
２２ｂ  底部
２２ｃ  柱状部
２２ｄ  上縁部
２３  蓋体
２５  ブランク板
２６  骨格部材
２７  嵌合部（容器本体側）
２７ａ  嵌合支持壁
２７ｂ  水平連結部
２７ｃ  嵌合突起
２７ｅ  開蓋用半欠部
２８  嵌合部（蓋体側）
２８ａ  嵌合溝部
２８ｂ  係合鍔部
【図１】
0003877354.tif 000002
【図２】
0003877354.tif 000003
【図３】
0003877354.tif 000004
【図４】
0003877354.tif 000005